(57)【要約】【課題】女性の選択肢の拡大に貢献可能で着付け後の型崩れを抑えることができる仏衣を提供する。【解決手段】ローブ状に形成され後身頃１と左右に分かれた前身頃２ａ、２ｂと各身頃１、２ａ、２ｂに接続された１対の袖３ａ、３ｂとを備え、各前身頃２ａ、２ｂが着付けた状態で相互に重なる位置に対をなす面ファスナー７、８と相互に結束可能な位置に対をなす固定リボン９、１０とを有し、面ファスナー７、８と固定リボン９、１０を介して相互に分離可能に固定され、各袖３ａ、３ｂが腕の挿入を容易化するために広げられたアームホール１２を有し、対応して各身頃１、２ａ、２ｂの各袖３ａ、３ｂの接続部が広がっている構成を有し、少なくとも重ねたときに表側になる前身頃のウェスト部分に、ギャザーの形成を可能とする固定リボン１０とウェスト形成部材１１を有している。【選択図】図１
0003148409.tif 000002
【実用新案登録請求の範囲】
【請求項１】
ローブ状に形成され後身頃と左右に分かれた前身頃と前記各身頃に接続された１対の袖とを備え、
前記各前身頃が、着付けた状態で、相互に重なる位置に対をなす面ファスナーと相互に結束可能な位置に対をなす固定リボンとを有し、前記面ファスナーと前記固定リボンを介して相互に分離可能に固定され、
前記各袖が腕の挿入を容易化するために広げられたアームホールを有し、対応して前記各身頃の前記各袖の接続部が広がっている、ことを特徴とする仏衣。
【請求項２】
少なくとも重ねたときに表側になる前記前身頃のウェスト部分に、ギャザーが形成された部分、又は連携してギャザーを寄せること若しくはウェストを絞ることが可能な固定リボンとウェスト形成部材を有する、ことを特徴とする請求項１に記載の仏衣。
【請求項３】
少なくとも胸側から覆い、面ファスナーを介して首の周りで止めることが可能なケープを備える、ことを特徴とする請求項１又は請求項２に記載の仏衣。
【請求項４】
顔部分を覆うお顔ベール、手を一部又は全部被覆する手袋、足を一部又は全部被覆する足カバー、及びポーチのうちの１つ以上を備える、ことを特徴とする請求項１乃至請求項３のいずれか一項に記載の仏衣。
【考案の詳細な説明】
【技術分野】
【０００１】
本考案は、遺体に着付けられ、同時に使用可能な装飾品を含む仏衣に関する。
【背景技術】
【０００２】
仏衣は昭和初期に使用されだし、初期のものは晒し木綿を用いて和服風に縫い上げられ、これを家族等が用意して着付けていた。湯灌が始まるようになると、業者が仏衣を用意するようになった。そして、宗派、地域等によっても異なるが、例えば札幌では納棺師が遺族の前で仏衣の着付けを行うようになった。
【０００３】
時代が進むにつれて、洋風のものについても知られるようになった（例えば、特許文献１参照。）。特許文献１に記載の死装束には、遺体への着付けを容易にする観点から、身頃の前後の間にファスナーが設けられている。これによって、洋風の死装束であっても、後身頃を下にして遺体を寝かせた後にファスナーを介して前身頃を連結することによって着付けが可能となる。以下、「仏衣」という用語は、和風、洋風等を問わないものとする。
【特許文献１】特開２０００−１１０００８号公報
【考案の開示】
【考案が解決しようとする課題】
【０００４】
しかしながら、従来の仏衣では、縫い目が解れたり、形崩れし易かったり、女性の選択肢が十分に考慮されていなかったりし、所定の問題を有していた。具体的には、木綿を用いた手縫いのものでは解れや形崩れが生じ易すい場合も有った。特許文献１に記載の仏衣では、解れや形崩れは抑えられるものの、ワンピース等のゆったりとした衣服を着ることのある女性には適さなかった。
【０００５】
以上の現状に鑑み、本考案の目的は、女性の選択肢の拡大に貢献可能で着付け後の型崩れを抑えることができる仏衣を提供する。
【課題を解決するための手段】
【０００６】
上記の課題を解決すべく、本考案は以下の構成を提供する。
請求項１に係る考案は、ローブ状に形成され後身頃と左右に分かれた前身頃と前記各身頃に接続された１対の袖とを備え、前記各前身頃が、着付けた状態で、相互に重なる位置に対をなす面ファスナーと相互に結束可能な位置に対をなす固定リボンとを有し、前記面ファスナーと前記固定リボンを介して相互に分離可能に固定され、前記各袖が腕の挿入を容易化するために広げられたアームホールを有し、対応して前記各身頃の前記各袖の接続部が広がっている、ことを特徴とする。
【０００７】
請求項２に係る考案は、請求項１に記載の仏衣において、少なくとも重ねたときに表側になる前記前身頃のウェスト部分に、ギャザーが形成された部分、又は連携してギャザーを寄せること若しくはウェストを絞ることが可能な固定リボンとウェスト形成部材を有する、ことを特徴とする。
【０００８】
請求項３に係る考案は、請求項１又は請求項２に記載の仏衣において、少なくとも胸側から覆い、面ファスナーを介して首の周りで止めることが可能なケープを備える、ことを特徴とする。
【０００９】
請求項４に係る発明は、請求項１乃至請求項３のいずれか一項に記載の仏衣において、顔部分を覆うお顔ベール、手を一部又は全部被覆する手袋、足を一部又は全部被覆する足カバー、及びポーチのうちの１つ以上を備える、ことを特徴とする。
【考案の効果】
【００１０】
請求項１に係る考案によれば、ローブ状に形成され後身頃と左右に分かれた前身頃と各身頃に接続された１対の袖とを備え、各前身頃が、着付けた状態で、相互に重なる位置に対をなす面ファスナーと相互に結束可能な位置に対をなす固定リボンとを有し、面ファスナーと固定リボンを介して相互に分離可能に固定され、各袖が腕の挿入を容易化するために広げられたアームホールを有し、対応して各身頃の各袖の接続部が広がっているため、女性の選択肢の拡大に貢献可能で着付け後の型崩れを抑えることが可能な仏衣を実現することができる。
【００１１】
請求項２に係る考案によれば、上記請求項１の効果に加えて、少なくとも重ねたときに表側になる前身頃のウェスト部分に、ギャザーが形成された部分、又は連携してギャザーを寄せること若しくはウェストを絞ることが可能な固定リボンとウェスト形成部材を有するため、装飾性を高めることができる。
【００１２】
請求項３に係る考案によれば、上記請求項１又は請求項２の効果に加えて、少なくとも胸側から覆い、面ファスナーを介して首の周りで止めることが可能なケープを備えるため、より装飾性を高めることができることができる。
【００１３】
請求項４に係る考案によれば、上記請求項１乃至請求項３のいずれか一項の効果に加えて、顔部分を覆うお顔ベール、手を一部又は全部被覆する手袋、足を一部又は全部被覆する足カバー、及びポーチのうちの１つ以上を備えるため、患部の被覆、装飾性の向上等が可能となる。
【００１４】
女性は幾つになっても美しい又は可愛らしい姿を家族に残して差し上げたいという男性にはない思いがあるとされる。この地での最後の姿は、脳裏に焼き付き、末永く記憶に残るものである。本発明による仏衣は、美しく着飾った母、妻、娘などの姿を表出可能とし、もって永遠の眠りに際しての悲しみを少しでも和らげることに寄与するものである。
【考案を実施するための最良の形態】
【００１５】
以下、実施例を示した図面を参照しつつ本考案の実施の形態について説明する。図１は、本考案による仏衣の一実施例を示す（ａ）展開図及び（ｂ）Ａ−Ａ断面図である。仏衣は、図１（ａ）に示すようにローブ状の構成を有し、後身頃１、左右の前身頃２ａ、２ｂ、及び左右の袖３ａ、３ｂを備える。
【００１６】
各身頃１、２ａ、２ｂには、図１（ａ）に示すように、衿４と端部処理部５が周囲に設けられている。ここで、端部処理部５には、折り返し縫い、かがり縫い等の解れを防止する処理がなされている。また、着付けたときに下になる右前身頃２ｂの一部又は全体には、裏地６が付けられている。裏地６を設けることによって、内側の着衣等が透けて見えることが回避可能となる。
【００１７】
仏衣の生地として、例えば、サテン、シャンタン、バックサテンシャンタン等が使用されるのでもよい。ただし、これら以外の生地が使用されるのでもよい。仏衣は、右前身頃２ｂが内側になり左前身頃２ａが外側になるように構成されているが、風習、地域等に応じて重ね方が異なるように構成されるのでもよい。
【００１８】
左右の前身頃２ａ、２ｂには、着付けたときに相互に固定されるように、面ファスナー７、８が取り付けられている。ここで、左前身頃２ａには、図１（ａ）に示すように衿４及び端部処理部５の所定部分に、面ファスナー７が設けられている。右前身頃２ｂには、対応する位置即ち着付けた状態で相互に重なる部分に、もう一方の面ファスナー８が設けられている。面ファスナー７、８としては、例えば所謂マジックテープ（商標）等を構成するものが使用可能である。
【００１９】
また、着付けを確実にするために、左右の前身頃２ａ、２ｂには固定リボン９、１０が設けられている。このうち、左前身頃２ａの固定リボン９は、一端が襟４に固定され、他端が右前身頃２ｂの対応する固定リボン９の開放端と結束可能となっている。また、固定リボン１０は、着付けたときに左前身頃２ａの表側ウェスト周辺にギャザーを寄せることができるように、構成されている。
【００２０】
具体的には、固定リボン１０が左前身頃２ａと裏側の他の生地（以下、ウェスト形成部材という。）１１とで形成される隙間Ｇ内を部分的に摺動可能に設けられている。隙間Ｇは、例えば、左前身頃２ａとウェスト形成部材１１の固定リボン１０が入る部分の周りを、袋縫い又は接着剤で固定することによって形成可能である。隙間Ｇの構成を、図１（ａ）に平面的に示し、断面構成を図１（ｂ）に示す。そして、固定リボン１０は、一端が隙間Ｇの奥に固定され、他端が結束のために開放されている。固定リボン１０を持ち、左前身頃２ａ等を絞ることによって、ギャザーは形成可能となる。
【００２１】
ここで、固定リボン１０は、例えばゴム等の弾力性を有する部分（以下、弾力部分という。）と生地からなる部分とからなるのでもよい。弾性部分を隙間Ｇ内に配置する構成とすることによって、左前身頃２ａ等を絞ることなく、必要な部分にギャザーを寄せることも可能となる。ただし、固定リボン９、１０は必ずしも必要ではなく、仏衣が面ファスナーで固定されるように構成されるのでもよい。
【００２２】
身頃１、２ａ、２ｂと左右の袖３ａ、３ｂとは、図１（ａ）に示すように、接続部分に、腕を入れ易くするために広げられたアームホール１２が形成可能に構成されている。ここで、アームホール１２の寸法は袖３ａ、３ｂの腕回りの２倍前後が好ましいが、全体の形状、寸法、マージン等に応じてアームホール１２がさらに広げられるのでもよい。
【００２３】
左右の袖３ａ、３ｂは、袖先側に、手首に止まる手首側固定部材１３と、必要に応じて手首側を装飾する手首装飾部材１４が形成されている。ここで、手首側固定部材１３はゴム等で構成され手首等を軽く締めるようになっているのでも、ベルト状に構成され面ファスナー等で固定されるのでもよい。また、手首装飾部材１４は、図１等に示されるように、フリル、リボン等からなるのでもよい。
【００２４】
図２は、固定リボンを有しない構成の仏衣を着付けたときの外観図である。また、図３は、ギャザー寄せが可能な固定リボンを有する構成の仏衣を着付けたときの（ａ）外観図及び（ｂ）左身頃の内側の構成例を示す説明図である。図２に示す固定リボンのない構成では、すっきりとした外観が実現可能である。また、図３に示す固定リボン１０を有する構成では、ウェストの周りの装飾性の向上、寸法調節等が可能となる。
【００２５】
図４は、同時に使用可能なケープの実施例を示す（ａ）展開図及び（ｂ）Ｂ−Ｂ断面図である。図５は、他のケープの実施例を示す外観図である。ケープは、肩、胸部等を前側から覆う被覆装飾部２１と、首の周囲に止める着付け部２２とを備える。ケープは、通常、背中側を覆うものであるが、本発明によるケープは胸部等を前側から覆うように構成されている。ケープは全体として所定の装飾性を有するように構成されている。
【００２６】
被覆装飾部２１には、図４（ｂ）に示すように、肩に掛けやすくするための折り返し２３が設けられている。被覆装飾部２１のその他の端部に関しては、解れが生じないようにかがり等の端部処理が施されている。なお、被覆装飾部２１は、首の部分まで及ぶのでもよい。被覆装飾部２１の上端部Ｒは背中側に入り込み、肩に当たる部分は図４（ａ）に線Ｓで示されている。
【００２７】
固定装飾部２２は、図４（ａ）に示すようにカラー状のものからなるのでも、図５（ａ）〜図５（ｃ）に示すように被覆装飾部２１と一体化して外観上識別し難く構成されるのでもよい。固定装飾部２２の端部側には、面ファスナー２４、２５が、ケープを首の周りに固定するために設けられている。面ファスナー２４、２５相互の接合は、首の後ろ側、横等で行われる。これによって、胸、肩、首等が前側から安定的かつ装飾的に着付けられることとなる。
【００２８】
図６は同時に使用可能なお顔ベールの実施例を示す外観図であり、図７は同様に手袋の実施例を示す外観図であり、図８は同様に足カバーの実施例を示す外観図であり、図９は同様にポーチの実施例を示す外観図である。図４及び図５に示すケープ、図６に示すお顔ベール、図７に示す手袋、図８に示す足カバー等を用いることによって、故人に代わり首のシワ、手の甲の点滴の跡、その他の痛ましい所等を見せることなく飾ることができる。また、図９に示すポーチ等を添えることによって、女性らしさがより表現可能となる。
【産業上の利用可能性】
【００２９】
本発明による仏衣は、これらの装束、装飾品的な同時に使用されるものを製造するアパレル産業、葬祭業等において利用可能であり、このような製品の有用性を増進する。
【図面の簡単な説明】
【００３０】
【図１】本考案による仏衣の一実施例を示す（ａ）展開図及び（ｂ）Ａ−Ａ断面図である。
【図２】固定リボンを有しない構成の仏衣を着付けたときの外観図である。
【図３】ギャザー寄せが可能な固定リボンを有する構成の仏衣を着付けたときの（ａ）外観図及び（ｂ）左身頃の内側の構成例を示す説明図である。
【図４】同時に使用可能なケープの実施例を示す（ａ）展開図及び（ｂ）Ｂ−Ｂ断面図である。
【図５】他のケープの実施例を示す外観図である。
【図６】同時に使用可能なお顔ベールの実施例を示す外観図である。
【図７】同時に使用可能な手袋の実施例を示す外観図である。
【図８】同時に使用可能な足カバーの実施例を示す外観図である。
【図９】同時に使用可能なポーチの実施例を示す外観図である。
【符号の説明】
【００３１】
１  後身頃
２ａ  左前身頃
２ｂ  右前身頃
３ａ  左袖
３ｂ  右袖
４  衿
５  端部処理部
６  裏地
７、８  面ファスナー
９、１０  固定リボン
１１  ウェスト形成部材
１２  アームホール
１３  手首側固定部材
１４  手首装飾部材
２１  被覆装飾部
２２  着付け部
２３  折り返し
２４、２５  面ファスナー
Ｇ  隙間
Ｒ  被覆装飾部の上端部
Ｓ  被覆装飾部の肩に当たる部分
【図１】
0003148409.tif 000003
【図２】
0003148409.tif 000004
【図３】
0003148409.tif 000005
【図４】
0003148409.tif 000006
【図５】
0003148409.tif 000007
【図６】
0003148409.tif 000008
【図７】
0003148409.tif 000009
【図８】
0003148409.tif 000010
【図９】
0003148409.tif 000011